(57)【要約】  本発明による少なくとも１つ制御対象を制御するように構成されるスイッチ制御装置は、タッチパネルとコントローラとを含み、タッチパネルは、ユーザのタッチジェスチャを感知することにより、タッチ信号を生成し、コントローラは、タッチパネルにより生成されたタッチ信号に応じてタッチポイントの数を確定し、対応する数の制御対象を制御する。本発明は、スイッチ制御方法をさらに開示する。本発明のスイッチ制御装置および方法は、特定のキーを操作する必要なしに、対応する数の制御対象を迅速にオンにすることができるので、便利で迅速である。【選択図】図１
2019504396.tif 000002
【特許請求の範囲】
【請求項１】
複数の制御対象を制御するように構成されるスイッチ制御装置であって、
前記スイッチ制御装置は、タッチパネルとコントローラとを含み、
前記タッチパネルは、ユーザのタッチジェスチャを感知することにより、タッチ信号を生成し、
前記コントローラは、前記タッチパネルにより生成されたタッチ信号に応じてタッチポイントの数を確定し、対応する数の制御対象を制御することを特徴とする、スイッチ制御装置。
【請求項２】
前記コントローラは、さらにタッチ信号に応じて、タッチ軌跡を確定することにより、前記制御対象のパラメータを制御することを特徴とする、請求項１に記載のスイッチ制御装置。
【請求項３】
前記コントローラは、タッチ信号に応じて、タッチポイントの相対位置の移動関係を確定し、前記制御対象のパラメータを増大又は減少させることを特徴とする、請求項２に記載のスイッチ制御装置。
【請求項４】
前記コントローラは、任意角度のタッチ軌跡を識別し、パラメータ信号に変換して前記制御対象を制御することを特徴とする、請求項２に記載のスイッチ制御装置。
【請求項５】
前記制御対象は、ランプを含み、
前記コントローラは、タッチ信号に応じて前記タッチポイントが互いに接近すると確定された場合、ランプの明るさを減少させ、
前記コントローラは、タッチ信号に応じて前記タッチポイントが互いに離れると確定された場合、ランプの明るさを増大させることを特徴とする、請求項３に記載のスイッチ制御装置。
【請求項６】
前記コントローラは、さらにタッチ信号に応じてタッチ回数を確定し、全ての前記制御対象を同時に制御することを特徴とする、請求項１に記載のスイッチ制御装置。
【請求項７】
前記コントローラは、タッチ信号に応じてタッチジェスチャがダブルクリックであると確定された場合、全ての前記制御対象を同時にオフにすることを特徴とする、請求項６に記載のスイッチ制御装置。
【請求項８】
遅延期間を生成する遅延モジュールをさらに含み、
遅延期間内に発生するタッチ信号は、遅延期間が終了するまで遅延して実行されることを特徴とする、請求項１に記載のスイッチ制御装置。
【請求項９】
制御パネルは、フレキシブルタッチパネルを含み、
タッチジェスチャは、前記フレキシブルタッチパネルのタッチ表面の任意位置で入力することを特徴とする、請求項１に記載のスイッチ制御装置。
【請求項１０】
複数の制御対象を制御するように構成されるスイッチ制御方法であって、
タッチパネルがタッチジェスチャを感知してタッチ信号を生成するステップと、
コントローラがタッチ信号に応じてタッチポイントの数を確定するステップと、
コントローラがタッチポイントの数に応じて対応する数の制御対象を制御するステップと、を含むことを特徴とする、スイッチ制御方法。
【請求項１１】
前記コントローラは、タッチ信号に応じて、タッチポイントの相対位置の移動関係を確定し、前記制御対象のパラメータを増大又は減少させることを特徴とする、請求項１０に記載のスイッチ制御方法。
【請求項１２】
前記コントローラは、タッチ信号に応じてタッチジェスチャがダブルクリックであると確定された場合、全ての前記制御対象を同時にオフにすることを特徴とする、請求項１０に記載のスイッチ制御方法。
【請求項１３】
前記コントローラは、遅延期間内に発生する全てのタッチ信号を記録し、遅延期間を終了した後に前記全てのタッチ信号を共に実行するステップをさらに含む、請求項１０に記載のスイッチ制御方法。
【発明の詳細な説明】
【技術分野】
【０００１】
本発明は、スイッチ制御装置に関し、特に、タッチ入力によって制御するスイッチ制御装置及びスイッチ制御方法に関する。
【背景技術】
【０００２】
現在、ランプ等を制御するためのスイッチ制御装置に、通常、ユーザがランプの点灯、消灯、明るさ調整等を制御するための複数のメカニカルキーが設けられる。今のところ、いくつかのスイッチ制御装置にも、タッチボタンが設けられる。ユーザは、対応するタッチボタンをタッチすることにより、ランプの点灯または消灯などを制御することができる。しかし、メカニカルキー式のスイッチ制御装置であっても、タッチボタン式のスイッチ制御装置であっても、ユーザは、キー／ボタンの位置を識別する必要があり、その後、キー／ボタンを制御するので、特に便利ではない。特に、多光源のランプに対して、各光源を独立に制御するために、各光源に対応する複数のキー／ボタンがスイッチにおいて通常に設けられる。ユーザは、使用時に各光源を制御するためにキー／ボタンを１つずつ操作しなければならず、プロセスが煩雑である。
【発明の概要】
【０００３】
本発明の実施形態によるスイッチ制御装置及びスイッチ制御方法は、タッチジェスチャによって対応する制御対象を制御するため、操作の便利性を向上さることができる。
【０００４】
本発明の実施形態によるスイッチ制御装置は、若干の制御対象を制御するように構成される。前記スイッチ制御装置は、タッチパネル及びコントローラを含む。前記タッチパネルは、ユーザのタッチジェスチャを感知することにより、タッチ信号を生成する。前記コントローラは、タッチパネルにより生成されたタッチ信号に応じてタッチポイントの数を確定し、対応する数の制御対象を制御する。
【０００５】
スイッチ制御方法は、若干の制御対象を制御するように構成される。前記方法は、タッチパネルがタッチジェスチャを感知してタッチ信号を生成するステップと、コントローラがタッチ信号に応じてタッチポイントの数を確定するステップと、コントローラがタッチポイントの数に応じて対応する数の制御対象を制御するステップと、を含む。
【０００６】
本発明によるスイッチ制御装置及び方法は、特定のキーを操作する必要なしに、対応する制御対象を迅速にオンにすることができるので、便利で迅速である。
【０００７】
本発明の実施形態の技術的手段をより明確に説明するために、実施形態の説明で使用される添付図面を簡単に説明する。明らかに、以下に記載する添付の図面は、本発明のいくつかの実施形態のためのものに過ぎず、当業者は、創造的な努力なしにこれらの添付図面に従って他の添付図面を得ることができる。
【図面の簡単な説明】
【０００８】
【図１】図１は、本発明の一つの実施形態によるスイッチ制御装置の構造ブロック図である。
【図２】図２は、本発明の一つの実施形態によるスイッチ回路の具体的な回路図である。
【図３】図３は、本発明の一つの実施形態によるスイッチ制御装置の立体概略図である。
【図４】図４は、本発明の一つの実施形態によるスイッチ制御装置の分解組立図である。
【図５】図５は、本発明の一つの実施形態によるスイッチ制御装置の支持板の裏面概略図である。
【図６】図６は、本発明の一つの実施形態によるスイッチ制御方法の流れ図である。
【発明を実施するための形態】
【０００９】
以下に、本発明の実施形態の添付の図面を参照しながら、本発明の実施形態の技術的手段を、明確かつ完全に説明する。明らかに、説明される実施形態は、本発明の一部の実施形態だけのものであり、全ての実施形態ではない。本明細書に説明される実施形態から創造的な努力なしに当業者が得ることができるすべての別の実施形態は、本発明の範囲に入るものとする。
【００１０】
図１を参照すると、図１は、本発明の一つの実施形態によるスイッチ制御装置１００の構造ブロック図である。前記スイッチ制御装置１００は、少なくとも１つの制御対象２００を制御するように構成される。前記スイッチ制御装置１００は、タッチパネル１０と、コントローラ２０と、を含む。前記タッチパネル１０は、ユーザによりタッチ操作を行うように構成される。前記タッチパネル１０は、ユーザのタッチ操作に応じて対応するタッチ信号を生成する。前記コントローラ２０は、前記タッチパネル１０と前記少なくとも１つの制御対象２００との間に電気的に接続され、タッチパネル１０により生成されたタッチ信号に応じてタッチポイントの個数を確定し、タッチポイントの個数に応じて対応する個数の制御対象２００をオンにするように制御するように構成される。
【００１１】
本実施形態において、前記少なくとも１つの制御対象２００の数は、少なくとも５つである。前記コントローラ２０は、タッチポイントの個数が１つであると確定された場合、１つの制御対象２００をオンにするように制御し、タッチポイントの個数が２つであると確定された場合、２つの制御対象２００をオンにするように制御し、タッチポイントの個数が３つであると確定された場合、３つの制御対象２００をオンにするように制御し、タッチポイントの個数が４つであると確定された場合、４つの制御対象２００をオンにするように制御し、タッチポイントの個数が５つであると確定された場合、５つの制御対象２００をオンにするように制御する。
【００１２】
制御対象２００の数が多い場合、タッチポイントの個数は、制御対象２００と１対多の倍数関係となってもよいと理解されるべきである。例えば、１５個の制御対象２００がある場合、１つのタッチポイントは、３つの制御対象２００に対応する。即ち、１つのタッチポイントが検出された場合、３つの制御対象２００をオンにし、２つのタッチポイントが検出された場合、６つの制御対象２００をオンにするなどである。
【００１３】
それにより、本発明は、特定のキーを操作する必要なしに、対応する数の制御対象２００を迅速にオンにすることができるので、便利で迅速である。
【００１４】
本発明において、前記タッチポイントは、１つの独立の連続区域を指し、例えば、ユーザが１本の指でタッチする場合、前記指によりタッチされた領域が１つのタッチポイントとなる。それにより、ユーザが一定数の指で前記タッチパネル１０をタッチする場合、前記コントローラ２０により確定されたタッチポイントの個数が指の数となり、指の数に応じて対応する数の制御対象２００をオンにするように制御する。
【００１５】
コントローラ２０は、さらにタッチ信号に応じてタッチ軌跡を確定することにより、制御対象２００のパラメータを制御する。具体的に、コントローラ２０は、タッチ信号に応じて、タッチポイントの相対位置の移動関係を確定し、制御対象２００のパラメータを増減させる。本実施形態において、前記コントローラ２０は、タッチポイントの個数が少なくとも２つであり、タッチポイントの移動軌跡が互いに離れていると判断された場合、現在のオンにされた制御対象２００の特定のパラメータを増加させるように制御する。前記コントローラ２０は、タッチポイントの個数が少なくとも２つであり、タッチポイントの移動軌跡が互いに接近していると判断された場合、現在のオンにされた制御対象２００の特定のパラメータを減少させるように制御する。好ましくは、ユーザの操作を簡素化するように、特定のパラメータの制御が２本指の操作とすることが望ましい。
【００１６】
本実施形態において、各制御対象２００は、１つのランプであり、複数の制御対象２００は、照明器具の組み合わせを構成し、前記特定のパラメータは、明るさである。前記コントローラ２０は、ユーザがタッチする指の本数に応じて対応する個数のランプを点灯するように制御し、ユーザのタッチ操作が互いに離れる複数の指の近接操作であると確定された場合、前記制御対象２００の明るさを増加させるように制御し、ユーザのタッチ操作が互いに接近する複数の指の収束操作であると確定された場合、前記制御対象２００の明るさを減少させるように制御するように構成される。
【００１７】
別の実施形態において、前記制御対象２００は、さらに、スピーカまたはサウンドボックスであってもよい。複数の制御対象２００は、サウンドボックスの組み合わせを構成し、前記特定のパラメータは、音量である。前記コントローラ２０は、ユーザがタッチする指の本数に応じて対応する個数のサウンドボックスをオンにするように制御し、ユーザのタッチ操作が互いに離れる複数の指の分離操作であると確定された場合、前記制御対象２００の音量を増加させるように制御し、ユーザのタッチ操作が互いに接近する複数の指の収束操作であると確定された場合、前記制御対象２００の音量を減少させるように制御するように構成される。他の実施形態に置いて、前記制御対象２００は、さらに、テレビ、ディスプレイなどであってもよい。
【００１８】
それにより、本発明は、特定のキーを操作する必要なしに、制御対象２００のパラメータを迅速に調整することができるので、便利で迅速である。
【００１９】
本実施形態において、前記コントローラ２０は、さらにタッチパネル１０により入力されるタッチ操作がダブルクリック操作であると確定された場合、全ての制御対象２００をオフにするように制御する。前記コントローラ２０は、タッチ信号に応じて所定の時間間隔（例えば、１秒）内に同じ位置に２回のタッチが発生したと確定された場合、タッチ操作がダブルクリック操作であると確定し、全ての制御対象２００をオフにするように制御する。ユーザは少なくとも１本の指でダブルクリック操作を行うことができる。
【００２０】
本実施形態において、誤判定を防止するために、前記スイッチ制御装置１００は、遅延モジュール３０をさらに含む。遅延モジュール３０は、コントローラ２０に集積されるモジュールであってもよく、タッチパネル１０とコントローラ２０との間に接続されるモジュールであってもよい。遅延モジュール３０は、遅延期間を生成することにより、その遅延期間内のすべての先後操作が統計され、最後に同時に実行されるように構成される。例えば、ユーザが３つの制御対象２００を同時にオンにしようとする場合、指の長さが等しくないため、いくつかの指がタッチパネル１０に先にタッチし、他の指がタッチパネル１０に後にタッチすることを避けることが難しい。遅延機能が付加されることなく、コマンドが直ちに実行されると、３つの制御対象２００が先後にオンにされることが必然的に生じるので、ユーザに悪い体験を与える。遅延機能を付加した後、コントローラ２０は、直ちにコマンドを実行せず、遅延期間が経過した後にコマンドを共に実行する。それにより、タッチパネル１０が先後にタッチされる状況が存在しても、遅延時間内にタッチが完成すれば、コントローラ２０は、同時にタッチしたとみなすことにより、遅延時間経過後に複数の制御対象２００を同時にオンにするコマンドを実行する。好ましくは、遅延時間は1秒である。遅延モジュール３０は、コントローラ２０の内に集積される場合、コントローラ２０がタッチパネル１０からタッチ信号を直接受信し、遅延時間経過後に、コマンドを共に実行する。遅延モジュール３０は、コントローラ２０の外にある場合、遅延モジュール３０がタッチパネル１０からタッチ信号を受信した後、遅延時間経過後に、信号を共にコントローラ２０に送信してコマンドを実行する。
【００２１】
前記コントローラ２０は、さらにオンにされた制御対象２００がある場合、遅延モジュール３０をオフにするように制御することにより、前述するように、制御対象２００をオフにするためのダブルクリック操作および制御対象２００のパラメータを増減させるための収束操作または分離操作に即時に応答することができる。
【００２２】
前記タッチパネル１０は、前記スイッチ制御装置１００の少なくとも１つの表面に設けられ得る。一つの実施形態において、前記タッチパネル１０は、前記スイッチ制御装置１００の本体を貫通する斜め挿入式のパネルであってもよい。タッチパネル１０は、フレキシブルタッチパネルを含み、そのタッチ表面の任意の位置をタッチジェスチャの入力位置とすることができる。また、タッチ表面の片側に対してフレキシブルタッチパネルのタッチ面において任意の角度で行われるタッチジェスチャをタッチパネル１０により感知することができ、それから、コントローラ２０により識別した後、制御信号に変換して制御対象２００を制御する。例えば、２本の指は水平方向に収束すること、２本の指は垂直方向に収束すること、及び２本の指は対角線に沿って収束することなどが、制御対象２００の明るさを減少させるコマンドとしてコントローラ２０により識別され得る。
【００２３】
図１に示すように、前記スイッチ制御装置１００は、スイッチ回路４０をさらに含む。前記スイッチ回路４０は、電源３００及びすべての制御対象２００の間に接続される。前記スイッチ回路４０は、コントローラ２０の制御に応じて、対応する制御対象２００と電源３００との間の電気的接続をオンまたはオフにするように構成される。それにより、対応する制御対象２００をオンまたはオフにする。
【００２４】
図２を参照すると、図２は、スイッチ回路４０の具体的な回路図である。前記スイッチ回路４０は、少なくとも１つのスイッチ４１を含む。前記スイッチ４１の数は、制御対象２００の数と同じである。例えば、図２に示すように、前記スイッチ４１の数は、５つである。各スイッチ４１は、電源３００と、１つの対応する制御対象２００との間に接続される。前記コントローラ２０は、各スイッチ４１に接続されており、タッチポイントの個数に応じて対応する数のスイッチ４１をオンにするように制御することにより、前記オンされたスイッチ４１に接続される制御対象２００は、電源３００から電力供給電圧を受けて、オンにされる。各スイッチ４１は数値制御スイッチとすることができる。
【００２５】
図３〜４を参照すると、図３は、本発明の一つの実施形態によるスイッチ制御装置１００の立体概略図である。前記スイッチ制御装置１００は、サポータ１０１と、回路基板５０とをさらに含む。サポータ１０１は、ベース１０２と支持板１０３とを含む。タッチパネル１０は、前記支持板１０３の１つの表面に取り付けられるフレキシブルタッチパネルである。前記タッチパネル１０が取り付けられている支持板１０３はベース１０２に挿入されるように設けられ、前記タッチパネル１０の部分が露出する。
【００２６】
前記タッチパネル１０は、例えば、円柱の１／４周長の側面に類似する円弧状構造である。前記支持板１０３は、同様に、タッチパネル１０に適応する円弧状の構造である。本実施形態において、前記支持板１０３の全体は、円弧状の構造であり、即ち、支持板１０３のタッチパネル１０と取り付けられる一方の表面は、タッチパネル１０に適応する円弧面であり、前記支持板１０３の反対する他方の表面も円弧面である。他の実施形態において、前記支持板１０３のタッチパネル１０と取り付けられる一方の表面は、円弧面であり、前記支持板１０３の他方の表面は、平面または他の構造であってもよい。
【００２７】
図３に示すように、前記支持板１０３は、ベース１０２に挿入されるように設けられた後、前記ベース１０２により両部分に分けられる。前記支持板１０３の一部分は、ベース１０２の底部から露出する機能領域４２（図２に示すように）であり、前記フレキシブルタッチパネル２０が前記機能領域４２に取り付けられる。前記支持板１０３の他部分は、ベース１０２の上部から露出する装飾領域４３である。
【００２８】
図３に示すように、前記タッチパネル１０は、支持板１０３の下部領域の機能領域４２に被覆されている。前記装飾領域４３は、支持板１０３の上部領域に位置し、タッチパネル１０の被覆面積は、前記装飾領域４３の面積よりも顕著に大きい。例えば、タッチパネル１０の被覆面積は装飾領域４３の３倍である。タッチパネル１０の左右両側は、機能領域４２の左右両側に近接し、タッチパネル１０の下端が機能領域４２の下端で終わり、タッチパネル１０の上端が装飾領域４３の外部で終わる。
【００２９】
図４を参照すると、図４は、スイッチ制御装置１００の分解組立図である。前記ベース１０２は、ハウジング１１と、ハウジングの底部に固定される基板１２とを含む。前記ハウジング１１と基板１２とは、例えば直方体を構成するなどの閉空間を実質的に構成する。
【００３０】
前記ハウジング１１は、第１スロット１１１が設けられる。前記基板１２の前記第1スロット１１１に対応する部位に第２スロット１１２が設けられる。前記タッチパネル１０が取り付けられた支持板１０３は、前記第１スロット１１１および第２スロット１１２を貫通して前記ベース１０２に挿設される。本実施形態において、前記第１スロット１１１及び第２スロット１１２は、水平方向に一定の距離でずれていることにより、前記支持板１０３が前記ベース１０２に斜めに挿設される。
【００３１】
前記第１スロット１１１および第２スロット１１２は、支持板１０３の形状に適応する円弧状のスロットである。
【００３２】
前記基板１２における第２スロット１１２の開口の周縁に、上方に突出するフランジが設けられ、ハウジング１１の第１スロット１１１の開口の周縁に、下方に突出するフランジが設けられる。前記フランジは、タッチパネル１０が取り付けられた支持板１０３と、基板１２に設けられる回路基板５０等と、を隔離すると同時に、支持板１０３の挿設方向を案内可能なように構成される。
【００３３】
回路基板５０は、ねじを介して基板１２に固定される。前記支持板１０３において、開口１０３１がオンにされるように設けられる。前記タッチパネル１０における、前記支持板１０３に対向する面に、フレキシブル回路基板２１が設けられる。前記フレキシブル回路基板２１は、前記開口１０３１を貫通して回路基板５０に電気的に接続される。
【００３４】
図４に示すように、前記回路基板５０に、前記スイッチ制御装置１００の位置を指示する光を発生するための少なくとも１つの指示灯Ｌ１がさらに設けられる。
【００３５】
図５を参照すると、本実施形態において、前記開口１０３１は、２つの水平貫通スロットと垂直貫通スロットとを交差させて構成される十字形状の開口である。前記指示灯Ｌ１の数は２つであり、前記開口１０３１の垂直貫通スロットの対向する両端にそれぞれ埋め込まれる。指示灯Ｌ１は、ＬＥＤランプであってもよい。指示灯Ｌ１は、垂直貫通スロットの対向する両端に斜めに収容され、装飾領域４３および機能領域に向かってそれぞれに光を放射する。前記支持板１０３は、導光板の役割を果たすアクリル等の透明材料からなり、タッチパネル１０も透明な材料からなる。開口１０３１に埋め込まれる指示灯Ｌ１により放射される光を支持板１０３の全体に導くため、前記タッチパネル１０の位置をユーザに促すことができる。図２に示すように、前記フレキシブル回路基板２１は、前記開口１０３１の水平貫通スロットを貫通して回路基板５０に延びて、回路基板５０と電気的に接続される。
【００３６】
前記支持板１０３のタッチパネル１０が取り付けられない裏面に、固定部材１０３２がさらに設けられる。前記固定部材１０３２は、前記支持板１０３を基板１２に固定するように構成される。図３に示すように、本実施形態において、前記固定部材１０３２は、ネジ孔を有する少なくとも１つの固定柱を含み、前記支持板１０３がねじ止めによって基板１２に固定される。明らかに、他の実施形態において、前記固定部材１０３２は、フックなどの接続部材であってもよく、前記支持板１０３がスナップ接続を介して基板１２に固定される
【００３７】
前記コントローラ２０及びスイッチ回路４０は、前記回路基板５０に設けられる。
【００３８】
図６を参照すると、図６は、本発明の一つの実施形態によるスイッチ制御方法の流れ図である。前記方法は、スイッチ制御装置１００は、少なくとも１つの制御対象２００に制御を行う方法である。前記方法は、以下のステップを含む。
【００３９】
コントローラ２０は、スイッチ制御装置１００のタッチパネル１０によって生成されたタッチ信号に応じて、タッチポイントの個数を確定する（Ｓ６０１）。
【００４０】
コントローラ２０は、タッチポイントの個数に応じて、対応する個数の制御対象２００をオンにするように制御する（Ｓ６０３）。
【００４１】
コントローラ２０は、タッチポイントの個数が少なくとも２つであり、タッチポイントの移動軌跡が互いに離れているか、又は互いに接近していると確定された場合、現在のオンにされた制御対象２００の特定のパラメータを増減させるように制御する。（Ｓ６０５）
【００４２】
コントローラ２０は、タッチパネル１０を介して入力されたタッチ操作がダブルクリック操作であると確定された場合、全ての制御対象２００をオフにするように制御する（Ｓ６０７）。
【００４３】
本発明における、「若干」及び「複数」は、２つ及び２つ以上の状況を含むことを指すと理解されるべきである。
【００４４】
以上は、本発明の好ましい実施形態である。当業者であれば、本発明の原理から逸脱することなく、幾つかの改良および変更を行うことができ、これらの改良および変更も本発明の保護の範囲とみなされることが理解されるべきである。
【図１】
2019504396.tif 000003
【図２】
2019504396.tif 000004
【図３】
2019504396.tif 000005
【図４】
2019504396.tif 000006
【図５】
2019504396.tif 000007
【図６】
2019504396.tif 000008
【手続補正書】
【提出日】平成30年6月7日(2018.6.7)
【手続補正１】
【補正対象書類名】明細書
【補正対象項目名】０００２
【補正方法】変更
【補正の内容】
【０００２】
現在、ランプ等を制御するためのスイッチ制御装置に、通常、ユーザがランプの点灯、消灯、明るさ調整等を制御するための複数のメカニカルキーが設けられる。しかし、メカニカルキー式のスイッチ制御装置において、ユーザは、キーの位置を識別する必要があり、その後、キーを制御するので、特に便利ではない。特に、多光源のランプに対して、各光源を独立に制御するために、各光源に対応する複数のキーがスイッチにおいて通常に設けられる。ユーザは、使用時に各光源を制御するためにキー/ボタンを１つずつ操作しなければならず、プロセスが煩雑である。
【手続補正２】
【補正対象書類名】明細書
【補正対象項目名】０００５
【補正方法】変更
【補正の内容】
【０００５】
本発明の実施形態によるスイッチ制御方法は、若干の制御対象を制御するように構成される。前記方法は、タッチパネルがタッチジェスチャを感知してタッチ信号を生成するステップと、コントローラがタッチ信号に応じてタッチポイントの数を確定するステップと、コントローラがタッチポイントの数に応じて対応する数の制御対象を制御するステップと、を含む。
【手続補正３】
【補正対象書類名】明細書
【補正対象項目名】００１０
【補正方法】変更
【補正の内容】
【００１０】
図１を参照すると、図１は、本発明の一つの実施形態によるスイッチ制御装置１００の構造ブロック図である。前記スイッチ制御装置１００は、少なくとも１つの制御対象２００を制御するように構成される。前記スイッチ制御装置１００は、タッチパネル１０及びコントローラ２０を含む。前記タッチパネル１０は、ユーザによりタッチ操作を行うように構成される。前記タッチパネル１０は、ユーザのタッチ操作に応じて対応するタッチ信号を生成する。前記コントローラ２０は、前記タッチパネル１０と前記少なくとも１つの制御対象２００との間に電気的に接続され、タッチパネル１０により生成されたタッチ信号に応じてタッチポイントの個数を確定し、タッチポイントの個数に応じて対応する個数の制御対象２００をオンにするように制御するように構成される。
【手続補正４】
【補正対象書類名】明細書
【補正対象項目名】００１６
【補正方法】変更
【補正の内容】
【００１６】
本実施形態において、各制御対象２００は、１つのランプであり、複数の制御対象２００は、照明器具の組み合わせを構成し、前記特定のパラメータは、明るさである。前記コントローラ２０は、ユーザがタッチする指の本数に応じて対応する個数のランプを点灯するように制御し、ユーザのタッチ操作が互いに離れる複数の指の分離操作であると確定された場合、前記制御対象２００の明るさを増加させるように制御し、ユーザのタッチ操作が互いに接近する複数の指の収束操作であると確定された場合、前記制御対象２００の明るさを減少させるように制御するように構成される。
【手続補正５】
【補正対象書類名】明細書
【補正対象項目名】００２９
【補正方法】変更
【補正の内容】
【００２９】
図４を参照すると、図４は、スイッチ制御装置１００の分解組立図である。前記ベース１０２は、ハウジング１１と、ハウジング１１の底部に固定される基板１２とを含む。前記ハウジング１１と基板１２とは、例えば直方体を構成するなどの閉空間を実質的に構成する。
【手続補正６】
【補正対象書類名】明細書
【補正対象項目名】００３０
【補正方法】変更
【補正の内容】
【００３０】
前記ハウジング１１は、第１スロット１１１が設けられる。前記基板１２の前記第1スロット１１１に対応する部位に第２スロット１２１が設けられる。前記タッチパネル１０が取り付けられた支持板１０３は、前記第１スロット１１１および第２スロット１２１を貫通して前記ベース１０２に挿設される。本実施形態において、前記第１スロット１１１及び第２スロット１２１は、水平方向に一定の距離でずれていることにより、前記支持板１０３が前記ベース１０２に斜めに挿設される。
【手続補正７】
【補正対象書類名】明細書
【補正対象項目名】００３２
【補正方法】変更
【補正の内容】
【００３２】
前記基板１２における第２スロット１２１のスロットの開口の周縁に、上方に突出するフランジが設けられ、ハウジング１１の第１スロット１１１の開口の周縁に、下方に突出するフランジが設けられる。前記フランジは、タッチパネル１０が設けられる支持板１０３と、基板１２における回路基板５０等と、を隔離すると同時に、支持板１０３の挿設方向を案内可能なように構成される。
【手続補正８】
【補正対象書類名】明細書
【補正対象項目名】００３５
【補正方法】変更
【補正の内容】
【００３５】
図５を参照すると、本実施形態において、前記開口１０３１は、２つの水平貫通スロットと垂直貫通スロットとを交差させて構成される十字形状の開口である。前記指示灯Ｌ１の数は２つであり、前記開口１０３１の垂直貫通スロットの対向する両端にそれぞれ埋め込まれる。指示灯Ｌ１は、ＬＥＤランプであってもよい。指示灯Ｌ１は、垂直貫通スロットの対向する両端に斜めに収容され、装飾領域４３および機能領域４２に向かってそれぞれに光を放射する。前記支持板１０３は、導光板の役割を果たすアクリル等の透明材料からなり、タッチパネル１０も透明な材料からなる。開口１０３１に埋め込まれる指示灯Ｌ１により放射される光を支持板１０３の全体に導くため、前記タッチパネル１０の位置をユーザに促すことができる。図２に示すように、前記フレキシブル回路基板２１は、前記開口１０３１の水平貫通スロットを貫通して回路基板５０に延びて、回路基板５０と電気的に接続される。
【手続補正９】
【補正対象書類名】特許請求の範囲
【補正対象項目名】全文
【補正方法】変更
【補正の内容】
【特許請求の範囲】
【請求項１】
複数の制御対象を制御するように構成されるスイッチ制御装置であって、
前記スイッチ制御装置は、タッチパネルとコントローラとを含み、
前記タッチパネルは、ユーザのタッチジェスチャを感知することにより、タッチ信号を生成し、
前記コントローラは、前記タッチパネルにより生成されたタッチ信号に応じてタッチポイントの数を確定し、対応する数の制御対象を制御することを特徴とする、スイッチ制御装置。
【請求項２】
前記コントローラは、さらにタッチ信号に応じて、タッチ軌跡を確定することにより、前記制御対象のパラメータを制御することを特徴とする、請求項１に記載のスイッチ制御装置。
【請求項３】
前記コントローラは、タッチ信号に応じて、タッチポイントの相対位置の移動関係を確定し、前記制御対象のパラメータを増大又は減少させることを特徴とする、請求項２に記載のスイッチ制御装置。
【請求項４】
前記コントローラは、任意角度のタッチ軌跡を識別し、パラメータ信号に変換して前記制御対象を制御することを特徴とする、請求項２に記載のスイッチ制御装置。
【請求項５】
前記制御対象は、ランプを含み、
前記コントローラは、タッチ信号に応じて前記タッチポイントが互いに接近すると確定された場合、ランプの明るさを減少させ、
前記コントローラは、タッチ信号に応じて前記タッチポイントが互いに離れると確定された場合、ランプの明るさを増大させることを特徴とする、請求項３に記載のスイッチ制御装置。
【請求項６】
前記コントローラは、さらにタッチ信号に応じてタッチ回数を確定し、全ての前記制御対象を同時に制御することを特徴とする、請求項１に記載のスイッチ制御装置。
【請求項７】
前記コントローラは、タッチ信号に応じてタッチジェスチャがダブルクリックであると確定された場合、全ての前記制御対象を同時にオフにすることを特徴とする、請求項６に記載のスイッチ制御装置。
【請求項８】
遅延期間を生成する遅延モジュールをさらに含み、
遅延期間内に発生するタッチ信号は、遅延期間が終了するまで遅延して実行されることを特徴とする、請求項１に記載のスイッチ制御装置。
【請求項９】
制御パネルは、フレキシブルタッチパネルを含み、
タッチジェスチャは、前記フレキシブルタッチパネルのタッチ表面の任意位置で入力することを特徴とする、請求項１に記載のスイッチ制御装置。
【請求項１０】
複数の制御対象を制御するように構成されるスイッチ制御方法であって、
タッチパネルがタッチジェスチャを感知してタッチ信号を生成するステップと、
コントローラがタッチ信号に応じてタッチポイントの数を確定するステップと、
コントローラがタッチポイントの数に応じて対応する数の制御対象を制御するステップと、を含むことを特徴とする、スイッチ制御方法。
【請求項１１】
前記スイッチ制御方法は、タッチ信号に応じて、タッチポイントの相対位置の移動関係を確定し、前記制御対象のパラメータを増大又は減少させるステップをさらに含むことを特徴とする、請求項１０に記載のスイッチ制御方法。
【請求項１２】
前記スイッチ制御方法は、タッチ信号に応じてタッチジェスチャがダブルクリックであると確定された場合、全ての前記制御対象を同時にオフにするステップをさらに含むことを特徴とする、請求項１０に記載のスイッチ制御方法。
【請求項１３】
前記コントローラは、遅延期間内に発生する全てのタッチ信号を記録し、遅延期間を終了した後に前記全てのタッチ信号を共に実行するステップをさらに含む、請求項１０に記載のスイッチ制御方法。
【国際調査報告】
2019504396.tif 000009
2019504396.tif 000010
2019504396.tif 000011
2019504396.tif 000012
2019504396.tif 000013
2019504396.tif 000014